(57)【要約】      （修正有）【課題】自然素材からなる枕であって、適度な反発力を有し、形状が安定した枕を提供する。【解決手段】羊毛とポリ乳酸繊維からなる断熱材からなる枕本体１と、枕本体１を覆う枕カバーとからなる。枕本体１は、上部を構成する第１の板状体１１、中心部を構成する第２の板状体２１と第３の板状体３１、底部を構成する第４の板状体４１を備え、第１の板状１１は、前端部１２と後端部１３の上面が曲面に形成され、第２の板状体２１は、後端部が折り返されて前端部に向かって薄く形成され、第３の板状体３１は、前端部に第５の板状体５１を抱き込んで前端部が折り返されて後端部に向かって薄く形成されている。第１の板状体１１、第２の板状体２１、第３の板状体３１、第４の板状体４１は、弾性を有する紐３で結束されている。【選択図】図１
0003224345.tif 000002
【実用新案登録請求の範囲】
【請求項１】
羊毛とポリ乳酸繊維からなる断熱材からなる枕本体と、この枕本体を覆う枕カバーとからなることを特徴とする枕。
【請求項２】
前記枕本体は、前記断熱材からなる複数の板状体が積層されてなることを特徴とする請求項１記載の枕。
【請求項３】
前記枕本体は、前記板状体として少なくとも第１の板状体、第２の板状体、第３の板状体、第４の板状体を備え、前記第１の板状体は、前記枕本体の上部を構成し、前記第２の板状体と前記第３の板状体は、前記枕本体の中心部を構成し、前記第４の板状体は、前記枕本体の底部を構成することを特徴とする請求項２記載の枕。
【請求項４】
前記第１の板状体は、前端部と後端部の上面が曲面に形成され、前記第２の板状体は、後端部が折り返され、前記第３の板状体は、前端部が折り返されたことを特徴とする請求項３記載の枕。
【請求項５】
前記第２の板状体は、前端部に向かって薄く形成され、前記第３の板状体は、後端部に向かって薄く形成されたことを特徴とする請求項４記載の枕。
【請求項６】
前記第３の板状体は、前端部に第５の板状体を抱き込んで折り返されたことを特徴とする請求項５記載の枕。
【請求項７】
前記第１の板状体、第２の板状体、第３の板状体、第４の板状体は、弾性を有する紐で結束されたことを特徴とする請求項３〜６のいずれかに記載の枕。
【考案の詳細な説明】
【技術分野】
【０００１】
本考案は、枕に関する。
【背景技術】
【０００２】
従来、様々な素材を用いた枕が知られている。例えば、充填材に炭を用いたもの（特許文献１）、枕の高さと硬さを調整するウールシートを、軟質のウレタンフォームで形成された枕本体の上部に配置したもの（特許文献２）、三次元立体織物を複数枚積層してなるクッション材を用いたもの（特許文献３）などが知られている。しかしながら、従来の枕は、石油系化学素材を使用したものが多く、自然素材からなるものは少なかった。
【０００３】
一方、近年の地球温暖化、異常気象、大気汚染など多くの問題を引き起こしてきた大量生産、大量消費、大量廃棄のシステムを見直し、環境にやさしく人にやさしい自然素材を用いた枕が再び注目を浴びつつある。そして、枕に使用される自然素材としては、例えば、羽毛、羽根、そばがら、羊毛などが知られている。
【先行技術文献】
【特許文献】
【０００４】
【特許文献１】特開平１１−２０６５６３８号公報
【特許文献２】登実第３１３７０３０号公報
【特許文献３】国際公開ＷＯ２００７／０５５１５２号パンフレット
【考案の概要】
【考案が解決しようとする課題】
【０００５】
しかし、これらの自然素材を用いた枕は、反発力が弱く、形状が安定しないという欠点があった。
【０００６】
そこで、本考案は、自然素材からなる枕であって、適度な反発力を有し、形状が安定した枕を提供することを目的とする。
【課題を解決するための手段】
【０００７】
本考案の枕は、羊毛とポリ乳酸繊維からなる断熱材からなる枕本体と、この枕本体を覆う枕カバーとからなることを特徴とする。
【０００８】
また、前記枕本体は、前記断熱材からなる複数の板状体が積層されてなることを特徴とする。
【０００９】
また、前記枕本体は、前記板状体として少なくとも第１の板状体、第２の板状体、第３の板状体、第４の板状体を備え、前記第１の板状体は、前記枕本体の上部を構成し、前記第２の板状体と前記第３の板状体は、前記枕本体の中心部を構成し、前記第４の板状体は、前記枕本体の底部を構成することを特徴とする。
【００１０】
また、前記第１の板状体は、前端部と後端部の上面が曲面に形成され、前記第２の板状体は、後端部が折り返され、前記第３の板状体は、前端部が折り返されたことを特徴とする。
【００１１】
また、前記第２の板状体は、前端部に向かって薄く形成され、前記第３の板状体は、後端部に向かって薄く形成されたことを特徴とする。
【００１２】
また、前記第３の板状体は、前端部に第５の板状体を抱き込んで折り返されたことを特徴とする。
【００１３】
さらに、前記第１の板状体、第２の板状体、第３の板状体、第４の板状体は、弾性を有する紐で結束されたことを特徴とする。
【考案の効果】
【００１４】
本考案の枕によれば、羊毛とポリ乳酸繊維からなる断熱材からなる枕本体と、この枕本体を覆う枕カバーとからなるため、枕本体に自然素材に由来する材料のみを用いて、適度な反発力を有し、形状が安定した枕を提供することができる。
【００１５】
また、前記枕本体は、前記断熱材からなる複数の板状体が積層されてなるため、枕を最適な厚さに形成することができる。
【００１６】
また、前記枕本体は、前記板状体として少なくとも第１の板状体、第２の板状体、第３の板状体、第４の板状体を備え、前記第１の板状体は、前記枕本体の上部を構成し、前記第２の板状体と前記第３の板状体は、前記枕本体の中心部を構成し、前記第４の板状体は、前記枕本体の底部を構成するため、枕を最適な厚さと形状に形成することができる。
【００１７】
また、前記第１の板状体は、前端部と後端部の上面が曲面に形成され、前記第２の板状体は、後端部が折り返され、前記第３の板状体は、前端部が折り返されたため、使用者の頸部に当たる前端部と後端部の上面が曲面に形成されることで、枕の使い心地が向上し、板状体が前端部と後端部で折り返されることで、枕の前端部と後端部の硬さと強度が増して、枕の形状が安定する。
【００１８】
また、前記第２の板状体は、前端部に向かって薄く形成され、前記第３の板状体は、後端部に向かって薄く形成されたため、使用者の頭部が当たる上面の中央部が沈み込む形状となって、枕の使い心地が向上する。
【００１９】
また、前記第３の板状体は、前端部に第５の板状体を抱き込んで折り返されたため、枕の前端部の高さが後端部よりも高くなって、枕の使い心地が向上する。
【００２０】
さらに、前記第１の板状体、第２の板状体、第３の板状体、第４の板状体は、弾性を有する紐で結束されたため、第１の板状体と第２の板状体の間、又は、第３の板状体と第４の板状体の間などにタオルなどを挟むことによって、枕の高さを容易に調整することができる。
【図面の簡単な説明】
【００２１】
【図１】本考案の枕の一実施形態における、枕本体の斜視図である。
【図２】同上、枕本体の側面図である。
【図３】同上、第２の板状体の斜視図である。
【図４】同上、第２の板状体の裏側の斜視図である。
【図５】同上、第３の板状体の斜視図である。
【図６】同上、第３の板状体の裏側の斜視図である。
【図７】同上、第３の板状体の折り返される前の裏側の斜視図である。
【考案を実施するための形態】
【００２２】
本考案の枕の一実施形態について、添付した図面を参照しながら説明する。
【００２３】
本実施例の枕を示す図１を参照すると、１は枕本体であり、図示しない枕カバーとともに、本実施例の枕を構成する。
【００２４】
枕本体１は、羊毛とポリ乳酸繊維からなる断熱材から構成されている。この断熱材は、住宅の壁、天井、床下などに用いられているものであり、例えば、特開２００８−３０３５９７号公報に開示されている環境適応型ボード状断熱材を用いることができる。また、この断熱材としては、例えば、羊毛を５０〜７０％、ポリ乳酸繊維を３０〜５０％含み、密度が３０ｋｇ／ｍ３以上のものを好適に用いることができる。なお、断熱材の密度が高いほど、枕本体１が硬くなり、反発力と形状安定性も高くなる。
【００２５】
この断熱材を構成するポリ乳酸繊維としては、トウモロコシなどの農作物を原料として製造されたものが好適に用いられ、農産物を原料とするものを用いることによって、枕本体１を、自然素材に由来する材料のみを用いたものとすることができる。また、羊毛とポリ乳酸繊維からなる断熱材により枕本体１を形成することにより、適度な反発力を有し、形状が安定した枕となる。また、断熱材を構成する羊毛は、優れた断熱性を有し、吸湿性、放湿性にも優れるため、夏は涼しく、冬は暖かく、快適に使用することができる。
【００２６】
さらに、枕カバー（図示せず）を、絹、綿、麻などの天然繊維からなるものとすれば、枕本体１だけでなく枕全体を、自然素材に由来する材料のみを用いたものとすることができる。
【００２７】
また、断熱材としては、羊毛にポリ乳酸繊維を部分的に熱融着したものが好適に用いられる。羊毛とポリ乳酸繊維が部分的に熱融着されていることにより、断熱材がばらけることがなく、より確実に安定した形状が維持される。また、接着剤を用いることなく熱融着によって形状が維持されるので、接着剤に含まれる揮発性化学物質を気にする必要がなく、安心して枕を使用することができる。
【００２８】
さらに、断熱材としては、ホウ酸処理がなされたものが好適に用いられる。ホウ酸を含むことにより、防カビ、防虫、防腐の効果が得られる。
【００２９】
つぎに、本実施例の枕本体１の側面を示す図２を図１と併せて参照すると、枕本体１は、上記の断熱材からなる複数の板状体が積層されることで、最適な厚さに形成されている。具体的には、枕本体１は、板状体として、上から下に向かって順に、第１の板状体11、第２の板状体21、第３の板状体31、第４の板状体41を備えている。そして、第１の板状体11は、枕本体１の上部を構成し、第２の板状体21と第３の板状体31は、枕本体１の中心部を構成し、第４の板状体41は、枕本体１の底部を構成している。これにより、枕を最適な厚さと形状に形成することができる。
【００３０】
また、枕本体１には、４つの穴２が上下を貫通して形成されており、２つの穴２に対して１本ずつ、合せて２本の弾性を有する紐２が挿通されている。１本の紐２は、それぞれの両端で結ばれており、これにより、第１の板状体11、第２の板状体21、第３の板状体31、第４の板状体41が結束されている。紐２は、例えば、平ゴム、織りゴム、編みゴム、丸ゴム、横巻ゴムからなり、好ましくは、天然ゴム糸により構成されている。このように、弾性を有する紐２で結束されているため、第１の板状体11と第２の板状体21の間、又は、第３の板状体31と第４の板状体41の間などにタオルなどを挟むことが可能となり、枕の高さを容易に調整することができる。
【００３１】
以下、それぞれの板状体について、より詳細に説明する。
【００３２】
第１の板状体11は、前端部12と後端部13の上面が曲面に形成されている。このように、使用者の頸部に当たる前端部12と後端部13の上面が曲面に形成されることで、枕の使い心地が向上する。
【００３３】
第２の板状体21は、図３、図４に示すように、後端部23において折り返されている。そして、折り返された形状を維持するために、折り返された部分が複数の紐24で固定されている。このように、第２の板状体21の後端部23が折り返されていることで、枕の後端部の硬さと強度が増して、枕の形状が安定する。
【００３４】
また、第２の板状体21は、前端部23に向かうにつれて徐々に薄くなるように形成されている。このため、後述する第３の板状体31の形状と相俟って、枕本体１の使用者の頭部が当たる上面の中央部が沈み込む形状となって、この形状により使用者の頭部が前後方向から包み込まれることで、使用者の頭部の位置が安定し、枕の使い心地が向上する。また、左右方向の高さは変わらないので、寝返りがしやすい。
【００３５】
第３の板状体31は、図５、図６に示すように、第２の板状体21とは反対に、前端部32において折り返されている。また、第３の板状体31は、前端部32において、第５の板状体51を抱き込んで折り返されている。そして、折り返された形状を維持するために、折り返された部分が複数の紐34で固定されている。このように、第３の板状体31の前端部32が折り返されていることで、枕の前端部の硬さと強度が増して、枕の形状が安定する。また、第５の板状体51を抱き込んで折り返されていることによって、第２の板状体21の後端部23よりも、第３の板状体31の前端部32が厚くなり、これによって、枕本体１の前端部の高さが後端部よりも高くなって、使用者の頭部が前方向からさらに包み込まれることになり、枕の使い心地が向上する。
【００３６】
また、第３の板状体31は、第２の板状体31とは反対に、後端部33に向かうにつれて徐々に薄くなるように形成されている。このため、第２の板状体31の形状と相俟って、枕本体１の使用者の頭部が当たる上面の中央部が沈み込む形状となって、この形状により使用者の頭部が前後方向から包み込まれることで、使用者の頭部の位置が安定し、枕の使い心地が向上する。また、左右方向の高さは変わらないので、寝返りがしやすい。
【００３７】
なお、前端部32を折り返す前の第３の板状体31は、図７に示すように、前端部32の近傍に第５の板状体51が重ねられている。第３の板状体31には、上下方向に貫通した複数の穴35が３列に並んで形成され、そのうちの１列の穴（図示せず）の上に、第５の板状板51の穴55が形成されている。そして、第３の板状体31の前端部32が折り返された後、図６に示すように、これらの穴35，55に紐34が挿通されて、第３の板状体31の折り返された部分が固定されるようになっている。
【００３８】
第４の板状体41は、厚さが均一の直方体形状であり、その平坦な形状により、第１の板状体11、第２の板状体21、第３の板状体31を受け止めて、枕本体１を安定した状態に保持している。
【００３９】
以上のように、本実施例の枕は、羊毛とポリ乳酸繊維からなる断熱材からなる枕本体１と、この枕本体１を覆う枕カバーとからなるため、枕本体１に自然素材に由来する材料のみを用いて、適度な反発力を有し、形状が安定した枕を提供することができる。
【００４０】
また、前記枕本体１は、前記断熱材からなる複数の板状体が積層されてなるため、枕を最適な厚さに形成することができる。
【００４１】
また、前記枕本体１は、前記板状体として少なくとも第１の板状体11、第２の板状体21、第３の板状体31、第４の板状体41を備え、前記第１の板状体11は、前記枕本体１の上部を構成し、前記第２の板状体21と前記第３の板状体31は、前記枕本体１の中心部を構成し、前記第４の板状体41は、前記枕本体１の底部を構成するため、枕を最適な厚さと形状に形成することができる。
【００４２】
また、前記第１の板状体11は、前端部12と後端部13の上面が曲面に形成され、前記第２の板状体21は、後端部23が折り返され、前記第３の板状体31は、前端部32が折り返されたため、使用者の頸部に当たる前端部12と後端部13の上面が曲面に形成されることで、枕の使い心地が向上し、板状体が前端部32と後端部22で折り返されることで、枕の前端部と後端部の硬さと強度が増して、枕の形状が安定する。
【００４３】
また、前記第２の板状体21は、前端部22に向かって薄く形成され、前記第３の板状体32は、後端部33に向かって薄く形成されたため、使用者の頭部が当たる上面の中央部が沈み込む形状となって、枕の使い心地が向上する。
【００４４】
また、前記第３の板状体31は、前端部32に第５の板状体51を抱き込んで折り返されたため、枕の前端部の高さが後端部よりも高くなって、枕の使い心地が向上する。
【００４５】
さらに、前記第１の板状体11、第２の板状体21、第３の板状体31、第４の板状体41は、弾性を有する紐３で結束されたため、第１の板状体11と第２の板状体21の間、又は、第３の板状体31と第４の板状体41の間などにタオルなどを挟むことによって、枕の高さを容易に調整することができる。
【００４６】
以上、本考案の一実施形態について説明したが、本考案は本実施形態に限定されるものではなく、種々の変更実施が可能である。
【符号の説明】
【００４７】
１  枕本体
３  紐
11  第１の板状体
12  前端部
13  後端部
21  第２の板状体
22  前端部
23  後端部
31  第３の板状体
32  前端部
33  後端部
41  第４の板状体
51  第５の板状体
【図１】
0003224345.tif 000003
【図２】
0003224345.tif 000004
【図３】
0003224345.tif 000005
【図４】
0003224345.tif 000006
【図５】
0003224345.tif 000007
【図６】
0003224345.tif 000008
【図７】
0003224345.tif 000009